(57)【要約】【課題】撮影するフレーム外の撮影者が所望とするサイズのエリアを視覚確認しながら撮影できるようにして、遠くにあり且つ動きのある被写体の追跡を容易に行うことができるようにすること。【解決手段】ＣＰＵ１０１が、受像部１０２の第１の受像領域（撮影領域）にて受像される映像信号を録画部１１２に録画するように制御し、また、記憶部１１０に設定される前記第１の受像領域を含む受像部１０２の第２の受像領域（表示領域）にて受像される映像信号を表示部１０４に表示するように制御し、前記第２の受像領域の拡大又は縮小指示に応じて、前記表示部１０４に表示される前記第２の受像領域を拡大又は縮小するように変更制御する構成を特徴とする。【選択図】図１
2006019882.tif 000002
【特許請求の範囲】
【請求項１】
光学系と、
前記光学系から入光される映像光を受像して映像信号に変換する受像手段と、
前記受像手段の第１の受像領域にて受像される映像信号を録画手段に録画するように制御する録画制御手段と、
記憶手段に設定されている前記第１の受像領域を含む前記受像手段の第２の受像領域にて受像される映像信号を表示手段に表示するように制御する表示制御手段と、
前記第２の受像領域の拡大又は縮小を指示する指示手段と、
前記指示手段による拡大又は縮小指示に応じて、前記表示手段が表示する前記第２の受像領域を拡大又は縮小するように変更制御する制御手段と、
を有することを特徴とする撮影装置。
【請求項２】
前記表示制御手段は、前記表示手段に表示される前記第２の受像領域で受像された映像信号上に、前記第１の受像領域で受像される被写体画像に対応する範囲を示す画像を表示制御することを特徴とする請求項１記載の撮影装置。
【請求項３】
前記表示制御手段は、前記第２の受像領域全体で受像された映像信号を前記表示手段の一定の表示領域全体にマップするように表示制御することを特徴とする請求項１又は２記載の撮影装置。
【請求項４】
前記第１の受像領域は、前記録画制御手段が、動画撮影時に前記録画手段に録画させる映像信号を受像する前記受像手段の受像領域であることを特徴とする請求項１〜３のいずれかに記載の撮影装置。
【請求項５】
光学系と、前記光学系から入光される映像光を受像して映像信号に変換する受像手段と、前記受像手段の第１の受像領域にて受像される映像信号を録画手段に録画するように制御する録画制御手段と、記憶手段に設定されている前記第１の受像領域を含む前記受像手段の第２の受像領域にて受像される映像信号を表示手段に表示するように制御する表示制御手段とを有する撮像装置における撮像方法において、
前記第２の受像領域の拡大又は縮小を指示する指示ステップと、
前記指示ステップによる拡大又は縮小指示に応じて、前記表示手段が表示する前記第２の受像領域を拡大又は縮小するように変更する変更ステップと、
を有することを特徴とする撮影方法。
【請求項６】
請求項５に記載された撮影方法を実行するためのプログラム。
【発明の詳細な説明】
【技術分野】
【０００１】
本発明は、撮影レンズと、前記撮影レンズから入光される映像光を受像して映像信号に変換する受像手段と、前記受像手段にて受像された映像信号を録画するための録画手段と、前記受像手段にて受像された映像信号を表示するための表示手段とを有する動画を撮影可能なカメラ、ビデオカメラ、撮影機等の撮影装置および撮影方法およびプログラムに関する。
【背景技術】
【０００２】
動画撮影が可能なビデオカメラなどの実像式ズームファインダのカメラでは、視認可能な範囲が撮影範囲とされ、このような実像式ズームファインダのカメラにおいて、動きのある遠距離にある被写体、例えばサッカーのスポーツ選手を試合中に撮影する場合、ズームレンズを用いて望遠撮影するケースがあるが、大きくズームアップされた動きのある被写体をカメラで追跡するのは非常に困難であり、さまざまな撮影技術が提案されている。
【０００３】
通常、撮影者の技術として、望遠状態をある程度ズームアウトした撮影を行う方法（方法１）や、被写体が画角から外れそうになるとズームアウトし被写体を捕らえた所で、またズームインする、ズームイン／アウトを多用する撮影方法（方法２）や、両目を用いて、ファインダを覗いている目とは逆の目で全体像を把握し、ファインダを覗いた目と意識的に切り替えたり、両目の像を重ねて撮影する方法（方法３）等の手法が一般的である。
【０００４】
上記方法１では、大きく拡大した映像を撮ることを避けた手法であり、大きく拡大された映像を撮影することは出来ない。また、上記方法２では、ズームイン／アウトする為の画角の乱れが生じ、一定の拡大画像の撮影を続けることは出来ない。さらに、上記方法３では、撮影者の熟練度が必要であると共に、望遠サイズが大きいほど、熟練者でも撮影が困難となる。
【０００５】
このように、従来では、熟練が必要な撮影技術を駆使して、撮影を行っていたため、熟練した技術を持っていない一般のユーザでは、上述したような大きくズームアップされた動きのある被写体を撮影することは、非常に困難であった。
【０００６】
なお、上述したような熟練技術を必要としない方法として、常に撮影レンズの画角よりも広画角の被写体像をファインダで確認することが可能なカメラが、特許文献１，特許文献２で提案されている。
【特許文献１】特開２００１−２１１３６０公報
【特許文献２】特開平５−１００２８８公報
【発明の開示】
【発明が解決しようとする課題】
【０００７】
しかしながら、特許文献１の方法では、切替装置を使用して通常の撮影画像をファインダに表示させる場合と、撮影画像より広角側を見ることの出来る状態をファインダに表示させる場合とを切り替えているが、ユーザが好みの広角側のサイズを変更できない。
【０００８】
このため、例えばユーザにとって広角側のサイズが大きい場合、被写体が小さくなり、同じような複数の被写体の判別がつき難くなる。また、広角側のサイズが小さい場合、動きの激しいシーンの被写体を見失いやすくなる等の不具合がある等の問題点があった。
【０００９】
また、特許文献２の方法では、画角の変更に対する方法について、独自の撮影パターン等から被写体を判別し、画角をＣＣＤ素子の範囲で自動的にデジタル変更する為、撮影者が好みの画角を決められない。また、機器の構造について、表示用と撮影用との２つの場所のレンズから構成され、表示用画像は、ファインダレンズから取り込んでいて、撮影レンズからの画像ではない為、撮影された内容と表示された内容が必ずしも一致しない。例えば撮影レンズに指が入っていても気が付かない等の問題点があった。
【００１０】
本発明は、上記の問題点を解決するためになされたもので、本発明の目的は、光学系から入光される映像光を受像して映像信号に変換する受像手段の第１の受像領域にて受像される映像信号を録画し、また、前記第１の受像領域を含む前記受像手段の第２の受像領域にて受像される映像信号を表示手段に表示し、前記第２の受像領域の拡大又は縮小指示に応じて、前記第１の受像領域は変更することなく前記表示手段に表示される前記第２の受像領域のみを拡大又は縮小するように変更制御することにより、撮影するフレーム外の撮影者が所望とするサイズのエリアを視覚確認しながら撮影できるため、遠くにあり且つ動きのある被写体の追跡を容易に行うことができ、熟練した撮影技術を有しない一般の撮影者であっても、動きのある遠距離にある被写体を容易に拡大撮影することができる撮影装置および撮影方法およびプログラムを提供することである。
【課題を解決するための手段】
【００１１】
本発明は、光学系と、前記光学系から入光される映像光を受像して映像信号に変換する受像手段と、前記受像手段の第１の受像領域にて受像される映像信号を録画手段に録画するように制御する録画制御手段と、記憶手段に設定されている前記第１の受像領域を含む前記受像手段の第２の受像領域にて受像される映像信号を表示手段に表示するように制御する表示制御手段と、前記第２の受像領域の拡大又は縮小を指示する指示手段と、前記指示手段による拡大又は縮小指示に応じて、前記表示手段が表示する前記第２の受像領域を拡大又は縮小するように変更制御する制御手段とを有することを特徴とする。
【発明の効果】
【００１２】
本発明によれば、光学系から入光される映像光を受像して映像信号に変換する受像手段の第１の受像領域にて受像される映像信号を録画し、また、前記第１の受像領域を含む前記受像手段の第２の受像領域にて受像される映像信号を表示手段に表示し、前記第２の受像領域の拡大又は縮小指示に応じて、前記表示手段に表示される前記第２の受像領域を拡大又は縮小するように変更制御するので、撮影するフレーム外のエリアも確認できる為、動きのある被写体の追跡を容易にすることができる。
【００１３】
また、表示する受像手段上の領域を変更して、表示上の撮影フレームのサイズを自由に変更できる為、ユーザの使いやすさに合わせた設定が可能である。
【００１４】
結果として、被写体を捕らえる為の無駄なズームアウト／ズームインを行うケースを減らし、無駄な動作による装置の寿命を縮めてしまうことを防止することができる。
【００１５】
さらに、撮影するフレーム外のエリアは、動画撮影時には使用しない受像素子のエリアを用いて表示するため、動画の劣化を招くことなく、撮影するフレーム外のエリアを確認しながらの動画撮影を行うことができる。
【００１６】
従って、熟練した撮影技術を有しない一般の撮影者であっても、動きのある遠距離にある被写体を容易に拡大撮影することができる等の効果を奏する。
【発明を実施するための最良の形態】
【００１７】
〔第１実施形態〕
図１は、本発明に係る第１実施形態を示す撮影装置を適用可能なビデオカメラの内部構成を示すブロック図である。
【００１８】
図１において、１００はビデオカメラである。このビデオカメラ１００は、ＣＰＵ１０１と、受像部（ＣＣＤ等）１０２、表示部（ファインダ、ディスプレイ等）１０４、レンズズーム部１０５、画像入力部（レンズ等）１０６、操作部１０７、撮影フレーム変更ボタンＡ１０３、撮影フレーム変更ボタンＢ１０８、撮影用Ｓｔａｒｔ／Ｓｔｏｐボタン１０９、記憶部１１０、ＲＯＭ１１１、録画部（テープ、ＤＶＤ，メモリ等）１１２などを備えている。
【００１９】
画像入力部１０６は、変倍レンズやフォーカスレンズ等の複数の撮影レンズから構成されており、レンズズーム部１０５の変倍動作又は撮影者による手動変倍操作等により、レンズ位置を移動させて、入力倍率を光学的に変更可能である。
【００２０】
レンズズーム部１０５は、内部に図示しないモータ等を備えており、拡大ズームや縮小ズームの指示をＣＰＵ１０１から伝えられると、該拡大ズームや縮小ズームの指示に応じてモータを駆動し、画像入力部１０６内のレンズ等を移動させてレンズ焦点距離を変更させる変倍動作を行うことにより、画像入力部１０６による入力倍率を光学的に変更させる。
【００２１】
受像部１０２は、画像入力部１０６を透過した映像光を受像して撮影するためのものである。なお、受像部１０２は、ＣＣＤセンサ、ＣＭＯＳセンサ等で構成されるものであるが、以下、ＣＣＤセンサを例として説明する。
【００２２】
画像入力部１０６を透過した映像光は、後段の撮像素子（受像素子とも称する）である受像部１０２上のＣＣＤセンサ面上で結像され、光電変換により映像信号に変換される。なお、ＣＣＤセンサより光電変換された映像信号を、Ａ／Ｄ変換してデジタル画像データに変換し、該デジタル画像データを色差と輝度に分けて各種処理、補正及び画像圧縮／伸長を行う図示しない画像処理部を備えるものとする。
【００２３】
次に、表示部１０４は、画像入力部１０６を透過し、受像部１０２に受像される撮影画像を表示して視認（視覚により確認）させるためのものである。この表示部１０４は、１又は複数のディスプレイ（例えば、後述する図２に示すＬＣＤ１０４−１，ビューファインダ１０４−２）により構成されるものである。
【００２４】
操作部１０７は、撮影にかかる機能設定や操作を行うための各種ボタン（撮影フレーム変更ボタンＡ１０３，撮影フレーム変更ボタンＢ１０８，撮影用Ｓｔａｒｔ／Ｓｔｏｐボタン１０９等）やスイッチ（不図示の電源スイッチ、後述するワイド表示フレームビデオ撮影モードのＯＮ／ＯＦＦを切り替える不図示のスイッチ等）を有している。
【００２５】
撮影フレーム変更ボタンＡ１０３と撮影フレーム変更ボタンＢ１０８は、後述する図１２のフローチャートに示す撮影フレームのサイズ（および表示部１０４の表示範囲）を設定するためのものであり、撮影フレーム変更ボタンＡ１０３が押下されると、表示部１０４の表示範囲が拡大されて撮影フレームのサイズは縮小される。また、撮影フレーム変更ボタンＢ１０８が押下されると、表示部１０４の表示範囲が縮小されて撮影フレームのサイズは拡大される。
【００２６】
撮影用Ｓｔａｒｔ／Ｓｔｏｐボタン１０９は、後述する図１３のフローチャートに示す録画状態と停止状態を切り替えるためのものであり、録画状態（Ｒｅｃ）で、撮影用Ｓｔａｒｔ／Ｓｔｏｐボタン１０９が押下されると、ＣＰＵ１０１が録画部１１２に録画停止を指示して停止状態（Ｓｔｏｐ）に切り替わり、一方、停止状態（Ｓｔｏｐ）で、撮影用Ｓｔａｒｔ／Ｓｔｏｐボタン１０９が押下されると、ＣＰＵ１０１が録画部１１２に録画を指示して録画状態（Ｒｅｃ）に切り替わる。
【００２７】
ＲＯＭ１１１は、ＣＰＵ１０１が動作するための図１２，図１３のフローチャートに示すプログラムを含む各種プログラム等を格納している。記憶部１１０は、ビデオカメラ１００の各種設定を記憶したり、ＣＰＵ１０１のワークエリアとして使用される。なお、記憶部１１０の一部は、表示部１０４で表示するための表示データをビット展開するメモリとしても使用され、表示部１０４は記憶部１１０より表示データを受け取り被写体像などの画像を表示する。
【００２８】
ＣＰＵ１０１は、ＲＯＭ１１１又は図示しないその他の記録媒体に格納される各種プログラムを記憶部１１０のワーク領域にロードして実行することによりカメラ動作全体を制御する。
【００２９】
図２は、図１に示したビデオカメラ１００の外観の一例を示す斜視図であり、図１と同一のものには同一の符号を付してある。
【００３０】
本実施形態のビデオカメラ１００は、動画撮影モードとして、以下に示すワイド表示フレームビデオ撮影モードを有する。このワイド表示フレームビデオ撮影モードでは、動きのある被写体を追いやすくする為、実際の撮影フレームより広い撮影者の所望の範囲の映像を表示部１０４に表示する。また、実際の撮影フレームを撮影者が視覚的に確認できるように、撮影フレームの範囲を示す枠画像を表示部１０４内に表示する。
【００３１】
図３〜図５は、本発明の撮影装置のワイド表示フレームビデオ撮影モードにおける図１に示した受像部１０２の受像範囲と表示部１０４で表示される表示イメージ，録画部１１２で録画される録画イメージとの関係を示す模式図であり、図１と同一のものには同一の符号を付してある。
【００３２】
図３に示すように、画像入力部１０６から入力される映像光は、受像部１０２の受像可能領域全面で受像されて画像データに変換される。
【００３３】
本実施形態のビデオカメラ１００は、通常のビデオカメラと同様に、動画撮影時においては、受像素子の受像領域全面を使用して撮影，録画するのではなく、受像素子の中央部分の所定領域のみを利用して撮影，録画する。なお、本実施形態では、この動画撮影では使用しない受像素子の領域を利用して動画の撮影範囲より広角の領域を表示範囲として表示部に表示するように構成する。また、本実施形態では、この表示領域を変更可能とする。
【００３４】
具体的には、図３〜図５に示すように、受像部１０２は、固定サイズの撮影範囲Ｃ１０２と撮影範囲Ｃ１０２を含む可変サイズの表示範囲Ｃ１０１を有する。なお、本実施形態のワイド表示フレームビデオ撮影モードでは、表示範囲Ｃ１０１のサイズは、図１に示した撮影フレーム変更ボタンＡ１０３，撮影フレーム変更ボタンＢ１０８により設定される表示座標情報に応じて決定される（詳細は後述する）。また、ワイド表示フレームビデオ撮影モード以外の通常のビデオ撮影モードでは、表示範囲Ｃ１０１は撮影範囲Ｃ１０２と同一となる。
【００３５】
表示範囲Ｃ１０１内で受像されて変換された映像信号は、ＣＰＵ１０１により、表示部１０４の一定の表示領域（本実施形態では全面）に表示されるように制御される。なお、このとき、ＣＰＵ１０１は、表示部１０４の解像度に応じて、前記映像信号の画素を間引くように画像処理制御する。
【００３６】
また、撮影範囲Ｃ１０２内で受像されて変換された映像信号は、ＣＰＵ１０１により、録画部１１２によりテープ，ディスク，メモリ等の記録媒体に録画されるように制御される。なお、このとき、ＣＰＵ１０１は、録画部１１２への録画仕様に応じて、前記映像信号の画素を間引くように画像処理制御する。
【００３７】
なお、図４は、図３に示した表示範囲Ｃ１０１が大きく設定されている場合に対応し、図５は、図３に示した表示範囲Ｃ１０１が小さく設定されている場合に対応し、図４に示す表示範囲Ｃ１０１は、図５に示す表示範囲Ｃ１０１より広くなっているため、表示部１０４に表示される映像信号の受像範囲は、表示範囲Ｃ１０１が大きく設定されている場合（図４）の方が、表示範囲Ｃ１０１が小さく設定されている場合（図５）より広くなる。
【００３８】
従って、表示部１０４に表示される撮影範囲Ｃ１０２で受像される映像信号は、後述する図６，図７に示すように、表示範囲Ｃ１０１が大きく設定されている場合（図４）の方が、表示範囲Ｃ１０１が小さく設定されている場合（図５）より縮小表示されることなり、撮影フレーム２０２も小さいサイズで表示される。
【００３９】
なお、このように、表示範囲Ｃ１０１が大きく設定されたことにより、撮影イメージが縮小表示されても、ズームアウトして撮影されるわけではなく、録画部１１２で記録される撮影画像イメージは、表示範囲Ｃ１０１が大きく設定されている場合（図４）も、表示範囲Ｃ１０１が小さく設定されている場合（図５）も同一の映像信号となる。
【００４０】
なお、図４，図５中で示されるピクセル数は、一例であり、この値に限定されるものではない。
【００４１】
図６，図７は、図３〜図５に示した本実施形態のワイド表示フレームビデオ撮影モードにおける表示部１０４の表示イメージと録画部１１２の録画イメージの一例を示す模式図であり、図１と同一のものには同一の符号を付してある。なお、図６は、図３に示した表示範囲Ｃ１０１が大きく設定されている場合に対応し、図７は、図３に示した表示範囲Ｃ１０１が小さく設定されている場合に対応する。
【００４２】
図６，図７において、２０２は撮影フレームで、上述した撮影範囲Ｃ１０２に対応する範囲を示す。
【００４３】
図６の撮影フレーム２０２，図７の撮影フレーム２０２が示すように、表示部１０４に表示される撮影範囲Ｃ１０２で受像された画像データは、表示範囲Ｃ１０１が大きく設定されている場合（図６）の方が、表示範囲Ｃ１０１が小さく設定されている場合（図７）より縮小表示されることなる。
【００４４】
図８は、図１に示した記憶部１１０のメモリマップの一例を示す模式図である。
【００４５】
図８に示すように、記憶部１１０には、表示座標情報３０１、撮影座標情報３０２（固定値）、撮影フレーム座標情報３０３，撮影状態情報３０４が記憶されている。
【００４６】
表示座標情報３０１は、図３〜図５に示した表示範囲Ｃ１０１の受像部１０２上における座標情報（表示範囲Ｃ１０１の定義情報）に対応する。撮影座標情報３０２は、図３〜図５に示した撮影範囲Ｃ１０２の受像部１０２における座標情報（撮影範囲Ｃ１０２の定義情報）に対応する。撮影フレーム座標情報３０３は、図６，図７に示した撮影フレーム２０２の表示部１０４上における座標情報（撮影フレーム２０２の定義情報）に対応する。なお、四角形の座標情報を定義する場合、一般的に左上の縦と横の位置情報と縦と横のサイズで表す方法や、中心点の縦と横の位置情報と中心点から四隅までの縦と横のサイズで定義する方法等があるが、本実施形態では、各座標情報について、左上の縦と横の位置情報と縦と横のサイズで定義する方法を用いるものとするが、これに限定されるものではない。
【００４７】
また、撮影フレーム座標情報３０３は、表示範囲Ｃ１０１（即ち、表示座標情報３０１）と撮影範囲Ｃ１０２（撮影座標情報３０２）の大きさの比率により撮影フレームの大きさを座標として決定された値である。この撮影フレーム座標情報３０３は、上記比率を必要に応じて逐次計算して求める方法、上記比較の算出結果を一意の数値として予め決められた縦と横の座標情報をテーブルに持ち、このテーブルの値を必要に応じて取得して決定する方法等がある。本実施形態では、テーブルにより撮影フレーム座標情報３０３を決定する構成として説明するが、この方法に限定されるものではない。
【００４８】
なお、表示部１０４を複数有する場合には、各表示部毎に、撮影フレーム座標情報３０３を設けるものとする。
【００４９】
撮影状態情報３０４は、録画部１１２による録画状態（Ｒｅｃ）又は録画停止状態（Ｓｔｏｐ）を示す情報に対応する。
【００５０】
また、記憶部１１０上のＲＡＭ３０５は、表示部１０４に表示する画像を記憶したり、動画撮影モード（本実施形態のワイド表示フレームビデオ撮影モードのＯＮ／ＯＦＦ等）を記憶したり、ＣＰＵ１０１がワーク領域として使用可能な領域である。
【００５１】
なお、記憶部１１０における表示座標情報３０１、撮影座標情報３０２、撮影フレーム座標情報３０３が記憶される領域は、不揮発性メモリ領域であるように構成してもよいし、表示座標情報３０１、撮影座標情報３０２、撮影フレーム座標情報３０３の初期値をＲＯＭ１１１に記憶しておき、電源投入時等の初期動作にて、記憶部１１０に記憶させるように構成してもよい。
【００５２】
図９は、本実施形態のワイド表示フレームビデオ撮影モードにおける表示座標情報３０１，撮影フレーム座標情報３０３との対応を示す座標情報テーブルの一例を示す図である。
【００５３】
この座標情報テーブルでは、表示範囲を５段階のワイド表示レベル（Ｚ＝１〜５）に区分し、各段階の表示範囲に一意の数値（ワイド表示レベルＺ）を付し、これらの数値（ワイド表示レベルＺ）に対応させて各表示座標情報３０１，撮影フレーム座標情報３０３を規定している。
【００５４】
なお、表示範囲は、ワイド表示レベルＺの数値が小さいほど表示範囲が大きく、ワイド表示レベルＺの数値が大きいほど表示範囲が小さくなるように定められている。また、この座標情報テーブルは、図１に示したＲＯＭ１１１に記憶されている。
【００５５】
図１０は、本実施形態のワイド表示フレームビデオ撮影モードにおける表示範囲のワイド表示レベルＺと表示座標情報３０１，撮影フレーム座標情報３０３との対応を受像部１０２上の座標で示す模式図であり、図９と同一のものには同一の符号を付してある。
【００５６】
図１１は、本実施形態のワイド表示フレームビデオ撮影モードにおける表示範囲のワイド表示レベルＺと表示座標情報３０１，撮影フレーム座標情報３０３との対応を表示部１０４上の座標で示す模式図であり、図９と同一のものには同一の符号を付してある。
【００５７】
なお、図９〜図１１中で示されるピクセル数は、一例であり、この値に限定されるものではない。
【００５８】
以下、図１２，図１３のフローチャートを参照して、本発明の撮影装置のワイド表示フレームビデオ撮影モードにおける制御動作について説明する。
【００５９】
まず、図１２のフローチャートを参照して、本発明のワイド表示フレームビデオ撮影モードにおける撮影フレーム変更ボタンＡ１０３又は撮影フレーム変更ボタンＢ１０８が押下された場合の処理動作について説明する。
【００６０】
図１２は、本発明の撮影装置における第１の制御処理動作の一例を示すフローチャートであり、動画撮影モードがワイド表示フレームビデオ撮影モードとなっている状態で撮影フレーム変更ボタンＡ１０３，撮影フレーム変更ボタンＢ１０８が操作された場合（表示範囲の縮小又は拡大変更指示がなされた場合）の制御処理動作に対応する。なお、このフローチャートの処理は、図１に示したＣＰＵ１０１がＲＯＭ１１１又は図示しないその他の記録媒体に格納されたプログラムを記憶部１１０上のワークエリアにロードして実行することにより実現される。また、図中、Ｓ１０１〜Ｓ１０６は各ステップを示す。
【００６１】
まず、動画撮影モードがワイド表示フレームビデオ撮影モードとなっている状態で、撮影フレーム変更イベント（表示範囲の縮小又は拡大変更指示）が発生すると、ＣＰＵ１０１は図１２のフローチャートの処理を開始する。ステップＳ１０１において、ＣＰＵ１０１は、撮影フレーム変更ボタンＡ１０３が押下されたか否かを判定し、撮影フレーム変更ボタンＡ１０３が押下されたと判定した場合には、ステップＳ１０２に処理を進める。
【００６２】
ステップＳ１０２において、ＣＰＵ１０１は、図８に示した記憶部１１０内に設定（記憶）される表示座標情報３０１の表示範囲を１段階拡大させる。詳細には、記憶部１１０内の表示座標情報３０１の表示範囲を、図９に示した座標情報テーブルに基づいて、現在の表示範囲に対応するワイド表示レベルＺの値から「１」を減算したワイド表示レベルＺに対応する受像部上の表示範囲の座標を新たな表示座標情報３０１として記憶部１１０に記憶させる。なお、フローチャート上には示していないが、受像部上の表示範囲Ｃ１０１が既に受像部１０２全面となっている場合（即ち、表示座標情報３０１のワイド表示レベルが既に下限（Ｚ＝１）に達している場合）には、表示座標情報３０１の拡大は行わず、そのままステップＳ１０２を抜けるものとする。
【００６３】
一方、ステップＳ１０１で、ＣＰＵ１０１が、撮影フレーム変更ボタンＡ１０３が押下されていないと判定した場合には、そのままステップＳ１０３に処理を進める。
【００６４】
次に、ステップＳ１０３において、ＣＰＵ１０１は、撮影フレーム変更ボタンＢ１０８が押下されたか否かを判定し、撮影フレーム変更ボタンＢ１０８が押下されたと判定した場合には、ステップＳ１０４に処理を進める。
【００６５】
ステップＳ１０４において、ＣＰＵ１０１は、図８に示した記憶部１１０内に設定（記憶）される表示座標情報３０１の表示範囲を１段階縮小させる。詳細には、記憶部１１０内の表示座標情報３０１の表示範囲を、図９に示した座標情報テーブルに基づいて、現在の表示範囲に対応するワイド表示レベルＺの値に「１」を加算したワイド表示レベルＺに対応する受像部上の表示範囲の座標を新たな表示座標情報３０１として記憶部１１０に記憶させる。なお、フローチャート上には示していないが、受像部上の表示範囲Ｃ１０１が既に撮影範囲Ｃ１０２と同じ範囲となっている場合（即ち、表示座標情報３０１のワイド表示レベルが既に上限（Ｚ＝５）に達している場合）には、表示座標情報３０１の縮小は行わず、そのままステップＳ１０２を抜けるものとする。
【００６６】
次に、ステップＳ１０５において、ＣＰＵ１０１は、ステップＳ１０２又はステップＳ１０４で拡大又は縮小変更された表示座標情報３０１から撮影フレーム２０２の座標を決定する。なお、本実施形態では、図９に示した座標情報テーブルに基づいて、新たな表示座標情報３０１に対応する撮影フレーム座標情報３０２を決定して新たな撮影フレーム座標情報３０２として記憶部１１０に記憶させる。
【００６７】
ステップＳ１０６において、ＣＰＵ１０１は、ステップＳ１０２又はステップＳ１０４で拡大又は縮小変更された表示座標情報３０１に基づいて、表示部１０４の受像部１０２上の表示範囲を変更して再表示するように制御するとともに、ステップＳ１０５で決定した撮影フレーム座標情報３０３に基づいて撮影フレーム２０２を表示部１０４に表示する（表示部１０４に表示されている映像上に重ねて表示する（合成表示する））ように制御する。
【００６８】
なお、フローチャート上には示していないが、ステップＳ１０２又はステップＳ１０４で、表示座標情報３０１が変更されなかった（拡大も縮小もされなかった）場合には、ＣＰＵ１０１は、ステップＳ１０４，ステップＳ１０５の処理を行わず、そのまま処理を終了するものとする。
【００６９】
なお、フローチャートには示していないが、電源が投入されて動画撮影モードがワイド表示フレームビデオ撮影モードとなっている場合や、動画撮影モードがワイド表示フレームビデオ撮影モードでない状態からワイド表示フレームビデオ撮影モードに変更された場合には、ＣＰＵ１０１は、記憶部１１０から表示座標情報３０１，撮影フレーム座標情報３０３を読み出して、表示座標情報３０１に基づいて、表示部１０４の受像部１０２上の表示範囲を変更して再表示するように制御するとともに、撮影フレーム座標情報３０３に基づいて撮影フレーム２０２を表示部１０４に表示するように制御するものとする。なお、撮影フレーム変更ボタンＡ，Ｂの１回の押下により変更される表示範囲の変更幅はユーザの設定により１度に２段階，３段階等にすることもできる。
【００７０】
以下、図１３のフローチャートを参照して、本発明のワイド表示フレームビデオ撮影モードにおいて、撮影用Ｓｔａｒｔ／Ｓｔｏｐボタン１０９が押下された場合の処理動作について説明する。
【００７１】
図１３は、本発明の撮影装置における第２の制御処理動作の一例を示すフローチャートであり、撮影用Ｓｔａｒｔ／Ｓｔｏｐボタン１０９が操作された場合の制御処理動作に対応する。なお、このフローチャートの処理は、図１に示したＣＰＵ１０１がＲＯＭ１１１又は図示しないその他の記録媒体に格納されたプログラムを記憶部１１０上のワークエリアにロードして実行することにより実現される。また、図中、Ｓ２０１〜Ｓ２０５は各ステップを示す。
【００７２】
まず、録画イベントが発生すると、ＣＰＵ１０１は図１３のフローチャートの処理を開始する。ステップＳ２０１において、ＣＰＵ１０１は、記憶部１１０に記憶される撮影状態情報３０４を読み出して、該撮影状態情報３０４が録画状態（Ｒｅｃ）を示す情報であるか否かを判定し、録画状態（Ｒｅｃ）でないと判定した場合には、ステップＳ２０２に処理を進める。
【００７３】
ステップＳ２０２において、ＣＰＵ１０１は、撮影範囲Ｃ１０２の映像を録画部１１２に録画させるように制御し、ステップＳ２０３において、撮影状態情報３０４を録画状態（Ｒｅｃ）を示す情報に変更して、記憶部１１０に記憶させ、処理を終了する。
【００７４】
一方、ステップＳ２０１で、ＣＰＵ１０１が、撮影状態情報３０４が録画状態（Ｒｅｃ）を示す情報であると判定した場合には、ステップＳ２０４において、ＣＰＵ１０１は、録画部１１２に録画処理を停止させるように制御し、ステップＳ２０５において、撮影状態情報３０４を停止状態（Ｓｔｏｐ）を示す情報に変更して、記憶部１１０に記憶し、処理を終了する。
【００７５】
以上説明したように、本実施形態のワイド表示フレームビデオ撮影モードは、望遠時の動きのある被写体を追いやすくする為のものであり、通常のビデオカメラにおいて、大きく望遠側で被写体を撮影する場合、カメラのファインダもしくは表示機から被写体を見失い、重要なシーンを逃すことを改善することができる。
【００７６】
このように、本実施形態のワイド表示フレームビデオ撮影モードでは、撮影するフレーム外のエリアも視覚確認できる為、遠くにあり且つ動きのある被写体を追いやすくすることができる。なお、撮影するフレーム外のエリアは、動画撮影時には使用しない受像素子のエリアを用いて表示するため、動画の劣化を招くことなく、撮影するフレーム外のエリアを確認しながらの動画撮影を行うことができる。
【００７７】
また、例えばユーザにとって表示範囲（撮影するフレーム外のエリアを含む範囲）のサイズが大きい場合、被写体が小さくなってしまい、同じような複数の被写体の判別がつき難くなってしまうが、このような場合は、ユーザが表示範囲のサイズを小さく設定変更して表示フレームを大きくして、被写体を判別しやすくすることができる。
【００７８】
一方、表示範囲のサイズが小さい場合、動きの激しい被写体を見失いやすくなってしまうが、このような場合は、逆に、ユーザが表示範囲のサイズを大きく設定変更して表示フレームを小さくして、被写体を追跡しやすくすることができる。
【００７９】
このように、表示範囲を変更することにより、表示上の撮影フレームのサイズを自由に変更できる為、ユーザの使いやすさに合わせた設定が可能である。
【００８０】
結果として、被写体を捕らえる為の無駄なズームアウト／ズームインを行うケースの増加を抑えることができ、使い易さだけでなく、無駄なズームイン／ズームアウト動作を多発することによる、ズーム手段の酷使による故障の発生や、不用意に寿命を縮めてしまう事などを抑えることができる等の効果もある。
【００８１】
従って、熟練した撮影技術を有しない一般の撮影者であっても、動きのある遠距離にある被写体を容易に拡大撮影することができる等の効果を奏する。
【００８２】
なお、上記各変形例を合わせた構成も全て本発明に含まれるものである。
【００８３】
上述した各種データの構成及びその内容はこれに限定されるものではなく、用途や目的に応じて、様々な構成や内容で構成されることは言うまでもない。
【００８４】
さらに、上記実施形態では、動画撮影を行う場合について説明したが、静止画撮影においても本発明は適用可能である。
【００８５】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００８６】
以下、図１４に示すメモリマップを参照して本発明に係る撮影装置で読み取り可能なデータ処理プログラムの構成について説明する。
【００８７】
図１４は、本発明に係る撮影装置で読み取り（読み出し）可能な各種データ処理プログラムを格納する記録媒体（記憶媒体）のメモリマップを説明する図である。
【００８８】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００８９】
さらに、各種プログラムに従属するデータも上記ディレクトリに管理されている。また、インストールするプログラムやデータが圧縮されている場合に、解凍するプログラム等も記憶される場合もある。
【００９０】
本実施形態における図１２，図１３に示す機能が外部からインストールされるプログラムによって、撮影装置により遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００９１】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【００９２】
この場合、記録媒体から読み出されたプログラムコード自体が本発明の新規な機能を実現することになり、そのプログラムコードを記憶した記録媒体は本発明を構成することになる。
【００９３】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００９４】
また、撮影装置が読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９５】
さらに、記録媒体から読み出されたプログラムコードが、撮影装置に挿入された機能拡張ボードや撮影装置に接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９６】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【００９７】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【図面の簡単な説明】
【００９８】
【図１】本発明に係る第１実施形態を示す撮影装置を適用可能なビデオカメラの内部構成を示すブロック図である。
【図２】図１に示したビデオカメラの外観の一例を示す斜視図である。
【図３】本発明の撮影装置のワイド表示フレームビデオ撮影モードにおける図１に示した受像部の受像範囲と表示部で表示される表示イメージ，録画部で録画される録画イメージとの関係を示す模式図である。
【図４】本発明の撮影装置のワイド表示フレームビデオ撮影モードにおける図１に示した受像部の受像範囲と表示部で表示される表示イメージ，録画部で録画される録画イメージとの関係を示す模式図である。
【図５】本発明の撮影装置のワイド表示フレームビデオ撮影モードにおける図１に示した受像部の受像範囲と表示部で表示される表示イメージ，録画部で録画される録画イメージとの関係を示す模式図である。
【図６】図３〜図５に示した本実施形態のワイド表示フレームビデオ撮影モードにおける表示部の表示イメージと録画部の録画イメージの一例を示す模式図である。
【図７】図３〜図５に示した本実施形態のワイド表示フレームビデオ撮影モードにおける表示部の表示イメージと録画部の録画イメージの一例を示す模式図である。
【図８】図１に示した記憶部のメモリマップの一例を示す模式図である。
【図９】本実施形態のワイド表示フレームビデオ撮影モードにおける表示座標情報，撮影フレーム座標情報との対応を示す座標情報テーブルの一例を示す図である。
【図１０】本実施形態のワイド表示フレームビデオ撮影モードにおける表示範囲のワイド表示レベルＺと表示座標情報，撮影フレーム座標情報との対応を受像部上の座標で示す模式図である。
【図１１】本実施形態のワイド表示フレームビデオ撮影モードにおける表示範囲のワイド表示レベルＺと表示座標情報，撮影フレーム座標情報との対応を表示部上の座標で示す模式図である。
【図１２】本発明の撮影装置における第１の制御処理動作の一例を示すフローチャートである。
【図１３】本発明の撮影装置における第２の制御処理動作の一例を示すフローチャートである。
【図１４】本発明に係る撮影装置で読み取り（読み出し）可能な各種データ処理プログラムを格納する記録媒体（記憶媒体）のメモリマップを説明する図である。
【符号の説明】
【００９９】
１０１    ＣＰＵ
１０２    受像部
１０３    撮影フレーム変更ボタンＡ
１０４    表示部
１０５    レンズズーム部
１０６    画像入力部
１０７    操作部
１０８    撮影フレーム変更ボタンＢ
１０９    撮影用Ｓｔａｒｔ／Ｓｔｏｐボタン
１１０    記憶部
１１１    ＲＯＭ
【図１】
2006019882.tif 000003
【図２】
2006019882.tif 000004
【図３】
2006019882.tif 000005
【図４】
2006019882.tif 000006
【図５】
2006019882.tif 000007
【図６】
2006019882.tif 000008
【図７】
2006019882.tif 000009
【図８】
2006019882.tif 000010
【図９】
2006019882.tif 000011
【図１０】
2006019882.tif 000012
【図１１】
2006019882.tif 000013
【図１２】
2006019882.tif 000014
【図１３】
2006019882.tif 000015
【図１４】
2006019882.tif 000016